(57)【要約】【課題】揮発性メモリーにおける利用可能な記憶領域の制約の下で、極力高速で両面読取処理を実行すること。【解決手段】領域確保部４１ｃは、６つのページ領域５ａを揮発性メモリー５の記憶領域に確保する。第１搬送制御部４１ｂは、６つの前記ページ領域５ａの確保に対応して、原稿搬送装置１ａに対して複数の原稿３の最初の３枚目までの搬送を許可する。データ記録部４１ｄは、指定解像度の二次ライン画像データＤ１０を前記複数の原稿９１のページごとに６つの前記ページ領域５ａに記憶させる。画像処理部４１ｅは、前記ページ領域５ａに記憶されている前記二次ライン画像データＤ１０をワーク領域へ順次移動させ、処理後のデータを他装置へ転送する。第２搬送制御部４１ｆは、前記複数の原稿の最初の３枚目までの搬送に続いて、前記原稿搬送装置１ａに対して４枚目以降の次の１枚の前記原稿９１の搬送を許可する。【選択図】図１
2019047407.tif 000002
【特許請求の範囲】
【請求項１】
複数の原稿を搬送路に沿って順次搬送する原稿搬送装置と、
前記搬送路の２箇所において前記原稿各々の両面の画像を読み取り、前記両面に対応するライン画像データを順次出力する２つの読取装置と、
予め設定された指定解像度に調整された前記ライン画像データを一次記憶する揮発性メモリーと、
前記揮発性メモリーにアクセスしつつデータ処理を実行するプロセッサーと、を備え、
前記プロセッサーは、
それぞれ前記原稿の１ページ分の前記ライン画像データを記憶可能な６つのページ領域を前記揮発性メモリーの記憶領域に確保する領域確保部と、
６つの前記ページ領域の確保に対応して、前記原稿搬送装置に対して前記複数の原稿の最初の３枚目までの搬送を許可する第１搬送制御部と、
順次得られる前記ライン画像データを前記複数の原稿のページごとに前記揮発性メモリーの６つの前記ページ領域に記憶させるデータ記録部と、
前記ページ領域に記憶されている前記ライン画像データを前記揮発性メモリーの前記記憶領域における前記ページ領域以外のワーク領域へ順次移動させ、前記ワーク領域内の前記ライン画像データに予め定められたデータ処理を施し、処理後のデータを他装置へ転送する画像処理部と、
前記複数の原稿の最初の３枚目までの搬送に続いて、前記原稿搬送装置に対して前記複数の原稿のうちの４枚目以降の次の１枚の搬送を順次許可する第２搬送制御部と、を含む、画像読取装置。
【請求項２】
前記プロセッサーは、
前記揮発性メモリーの状態が、前記指定解像度に対応する６つの前記ページ領域を前記揮発性メモリーの記憶領域に確保可能な第１状態およびその他の第２状態のいずれであるかを判定する判定部をさらに含み、
前記揮発性メモリーの状態が前記第１状態であると判定された場合に、
前記領域確保部は、６つの前記ページ領域を前記揮発性メモリーの記憶領域に確保し、
前記第１搬送制御部は、６つの前記ページ領域の確保に対応して、前記原稿搬送装置に対して前記複数の原稿の最初の３枚目までの搬送を許可し、
前記第２搬送制御部は、前記複数の原稿の最初の３枚目までの搬送に続いて、前記原稿搬送装置に対して前記複数の原稿のうちの４枚目以降の次の１枚の搬送を順次許可し、
前記揮発性メモリーの状態が前記第２状態であると判定された場合に、
前記領域確保部は、２つの前記ページ領域を前記揮発性メモリーの記憶領域に確保し、
前記第１搬送制御部は、２つの前記ページ領域の確保に対応して、前記原稿搬送装置に対して前記複数の原稿の最初の１枚目の搬送を許可し、
前記第２搬送制御部は、２つの前記ページ領域において全ての前記ライン画像データの移動が完了するごとに、前記原稿搬送装置に対して前記複数の原稿のうちの２枚目以降の次の１枚の搬送を許可する、請求項１に記載の画像読取装置。
【請求項３】
請求項１または請求項２に記載の画像読取装置と、
前記画像読取装置によって得られる画像データに基づく画像をシートに形成する画像形成装置と、を備える画像処理装置。
【発明の詳細な説明】
【技術分野】
【０００１】
本発明は、揮発性メモリーの有効活用による高速処理が可能な画像読取装置および画像処理装置に関する。
【背景技術】
【０００２】
一般に、画像読取装置は、原稿搬送装置および２つの読取装置を備えることが多い。前記原稿搬送装置は、複数の原稿を搬送路に沿って順次搬送する。前記２つの読取装置は、前記搬送路の２箇所において前記原稿各々の両面の画像を読み取り、前記両面に対応するライン画像データを順次出力する両面読取処理を実行する。
【０００３】
前記画像読取装置において、複数の前記ライン画像データから各種の画像データを生成する処理が行われるときに、処理対象のデータは、アクセス速度の速い揮発性メモリーに一次記憶される。
【０００４】
そして、必要な画像データが生成されるごとに、生成された画像データが前記揮発性メモリーから二次記憶装置などの他の装置へ転送され、不要になった元のデータが前記揮発性メモリーから消去される。
【０００５】
また、前記両面読取処理が行われるときに、第１画像データが画像メモリーに書き込まれ、第２画像データの書き込み開始位置が、前記画像メモリーの記憶領域における前記第１画像データの領域の後に設定され、さらに、前記第２画像データが、前記画像メモリーの記憶領域における前記第１画像データが既に読み出された領域に書き込まれることが知られている（例えば、特許文献１参照）。
【先行技術文献】
【特許文献】
【０００６】
【特許文献１】特開２０１６−２１３９０７号公報
【発明の概要】
【発明が解決しようとする課題】
【０００７】
ところで、前記揮発性メモリーにおける利用可能な記憶領域の制約の下で、極力高速で前記両面読取処理を実行できることが望ましい。
【０００８】
本発明の目的は、揮発性メモリーにおける利用可能な記憶領域の制約の下で、極力高速で両面読取処理を実行できる画像読取装置およびそれを備える画像処理装置を提供することにある。
【課題を解決するための手段】
【０００９】
本発明の一の局面に係る画像読取装置は、原稿搬送装置と、２つの読取装置と、揮発性メモリーと、プロセッサーと、を備える。前記原稿搬送装置は、複数の原稿を搬送路に沿って順次搬送する。前記２つの読取装置は、前記搬送路の２箇所において前記原稿各々の両面の画像を読み取り、前記両面に対応するライン画像データを順次出力する。前記揮発性メモリーは、予め設定された指定解像度に調整された前記ライン画像データを一次記憶する。前記プロセッサーは、前記揮発性メモリーにアクセスしつつデータ処理を実行する。前記プロセッサーは、領域確保部と、第１搬送制御部と、データ記録部と、画像処理部と、第２搬送制御部と、を含む。前記領域確保部は、それぞれ前記原稿の１ページ分の前記ライン画像データを記憶可能な６つのページ領域を前記揮発性メモリーの記憶領域に確保する。前記第１搬送制御部は、６つの前記ページ領域の確保に対応して、前記原稿搬送装置に対して前記複数の原稿の最初の３枚目までの搬送を許可する。前記データ記録部は、順次得られる前記ライン画像データを前記複数の原稿のページごとに前記揮発性メモリーの６つの前記ページ領域に記憶させる。前記画像処理部は、前記ページ領域に記憶されている前記ライン画像データを前記揮発性メモリーの前記記憶領域における前記ページ領域以外のワーク領域へ順次移動させ、前記ワーク領域内の前記ライン画像データに予め定められたデータ処理を施し、処理後のデータを他装置へ転送する。前記第２搬送制御部は、前記複数の原稿の最初の３枚目までの搬送に続いて、前記原稿搬送装置に対して前記複数の原稿のうちの４枚目以降の次の１枚の搬送を許可する。
【００１０】
本発明の他の局面に係る画像処理装置は、前記画像読取装置と、前記画像読取装置によって得られる画像データに基づく画像をシートに形成する画像形成装置と、を備える。
【発明の効果】
【００１１】
本発明によれば、揮発性メモリーにおける利用可能な記憶領域の制約の下で、極力高速で両面読取処理を実行できる画像読取装置およびそれを備える画像処理装置を提供することが可能になる。
【図面の簡単な説明】
【００１２】
【図１】図１は、実施形態に係る画像処理装置のブロック図である。
【図２】図２は、実施形態に係る画像処理装置が備える画像読取装置の構成図である。
【図３】図３は、実施形態に係る画像処理装置における読取制御部のブロック図である。
【図４】図４は、実施形態に係る画像処理装置における読取モード制御の手順の一例を示すフローチャートである。
【図５】図５は、実施形態に係る画像処理装置における高速読取処理の手順の一例を示すフローチャートである。
【図６】図６は、実施形態に係る画像処理装置における省メモリー読取処理の手順の一例を示すフローチャートである。
【図７】図７は、実施形態に係る画像処理装置において画像読取装置が高速読取処理を実行するときのＡＤＦの複数の状態を示す図であり、図７（Ａ）は、１枚目の原稿を搬送する前のＡＤＦを示す図であり、図７（Ｂ）は、２枚目の原稿の搬送を開始すべき時点のＡＤＦを示す図であり、図７（Ｃ）は、１枚目の原稿の後端が搬送路の第２位置を通過する時点のＡＤＦを示す図であり、図７（Ｄ）は、３枚目の原稿の搬送を開始すべき時点のＡＤＦを示す図であり、図７（Ｅ）は、４枚目の原稿の搬送を開始すべき時点のＡＤＦを示す図である。
【発明を実施するための形態】
【００１３】
以下、添付図面を参照しながら、本発明の実施形態について説明する。なお、以下の実施形態は、本発明を具体化した一例であって、本発明の技術的範囲を限定する性格を有さない。
【００１４】
［画像処理装置１０の構成］
実施形態に係る画像処理装置１０は、原稿９１から画像を読み取る読取処理および前記読取処理によって得られる複数のライン画像データに基づく画像出力処理を実行可能な装置である。
【００１５】
図１に示されるように、画像処理装置１０は、スキャナー１、画像形成装置２，ユーザーインターフェイスユニット３、ＣＰＵ４、ＲＡＭ(Random Access Memory)５、二次記憶装置６および通信装置７などを備える。画像処理装置１０における画像形成装置２以外の部分が画像読取装置１００を構成している。
【００１６】
ユーザーインターフェイスユニット３は、操作器３ａおよび表示装置３ｂを含むユーザーインターフェイスである。操作器３ａは、ユーザーの操作を受け付ける装置であり、例えばタッチパネルを含む。表示装置３ｂは、画像を表示可能な装置であり、例えば、液晶表示パネルなどの表示パネルを含む。
【００１７】
通信装置７は、ネットワーク８０を通じて端末装置８などの他装置との間で通信を行う通信インターフェイスデバイスである。ＣＰＵ４は、前記他装置との間のデータの送信および受信の全てを、通信装置７を通じて行う。
【００１８】
二次記憶装置６は、コンピューター読み取り可能な不揮発性記憶装置である。二次記憶装置６は、プログラムおよび各種のデータを記憶可能である。例えば、フラッシュメモリーまたはハードディスクドライブの一方または両方が、二次記憶装置６として採用される。
【００１９】
ＲＡＭ５は、ＣＰＵ４が実行する前記プログラムおよびＣＰＵ４が前記プログラムを実行する過程で出力および参照するデータを一次記憶する揮発性記憶装置の一例である。ＲＡＭ５は、二次記憶装置６よりも高速なデータアクセスが可能な記憶装置である。
【００２０】
図１に示されるように、スキャナー１は、原稿９１の画像を読み取る前記読取処理を実行する装置である。スキャナー１は、ＡＤＦ(Automatic Document Feeder)１ａ、第１読取装置１ｂおよび第２読取装置１ｃなどを備える。
【００２１】
図２に示されるように、ＡＤＦ１ａは、複数の原稿９１を予め定められた搬送路１１に沿って順次搬送する装置である。ＡＤＦ１ａは原稿搬送装置の一例である。
【００２２】
ＡＤＦ１ａは、原稿トレイ１２ａ、原稿送出機構１２ｂ、複数の原稿搬送ローラー１２ｃおよび排出トレイ１２ｄ、第１コンタクトガラス１３ａ、第２コンタクトガラス１３ｂ、載置原稿センサー１４、第１原稿センサー１５ａおよび第２原稿センサー１５ｂなどを含む。
【００２３】
複数の原稿９１は、原稿トレイ１２ａ上に載置される。載置原稿センサー１４は、原稿トレイ１２ａ上に存在する１枚以上の原稿９１を検出する。
【００２４】
原稿送出機構１２ｂは、原稿トレイ１２ａ上の原稿９１を１枚ずつ搬送路１１へ送り出す。複数の原稿搬送ローラー１２ｃは、原稿送出機構１２ｂにより送り出された原稿９１各々を搬送路１１に沿って搬送し、搬送路１１から排出トレイ１２ｄへ排出する。
【００２５】
第１原稿センサー１５ａは、搬送路１１における第１位置Ｐ１に対して予め定められた基準長さだけ上流側へ遡った位置に到達する原稿９１を検出する。第２原稿センサー１５ｂは、搬送路１１における第２位置Ｐ２に対して前記基準長さだけ上流側へ遡った位置に到達する原稿９１を検出する。
【００２６】
第２位置Ｐ２は、搬送路１１における第１位置Ｐ１に対して下流側の位置である。なお、前記上流側および前記下流側は、それぞれ搬送路１１における原稿９１の搬送方向の上流側および下流側を意味する。
【００２７】
原稿９１が搬送路１１に沿って前記基準長さ分だけ搬送されるのに要する時間は既知である。従って、第１原稿センサー１５ａおよび第２原稿センサー１５ｂは、搬送路１１に沿って搬送される原稿９１が第１位置Ｐ１および第２位置Ｐ２に到達するタイミングを検出するセンサーであると言える。
【００２８】
第１読取装置１ｂは、搬送路１１の第１位置Ｐ１において原稿９１各々の第１面の画像を読み取り、前記第１面に対応する第１ライン画像データＤ０１を順次出力する。第２読取装置１ｃは、搬送路１１の第２位置Ｐ２において原稿９１各々の第２面の画像を読み取り、前記第２面に対応する第２ライン画像データＤ０２を順次出力する。
【００２９】
なお、以下の説明において、第１ライン画像データＤ０１および第２ライン画像データＤ０２のことを、一次ライン画像データＤ００と称する場合もある。一次ライン画像データＤ００は、第１読取装置１ｂおよび第２読取装置１ｃの定格解像度、即ち最大解像度の画像データである。
【００３０】
即ち、２つの読取装置１ａ，２ｂは、搬送路１１の２箇所において原稿９１各々の両面の画像を読み取り、前記両面に対応する一次ライン画像データＤ００を順次出力する。
【００３１】
本実施形態において、前記第１面は原稿９１のウラ面であり、前記第２面は原稿９１のオモテ面である。なお、前記第１面が原稿９１のオモテ面であり、前記第２面が原稿９１のウラ面であることも考えられる。
【００３２】
第１読取装置１ｂおよび第２読取装置１ｃは、それぞれ光源１０１、イメージセンサー１０２およびＡＦＥ（Analog Front End）１０３を備える。
【００３３】
光源１０１は、ＡＤＦ１ａによって搬送されている原稿９１に対して光を出射する。なお、第１読取装置１ｂの光源１０１は、第１コンタクトガラス１３ａを通して原稿９１に対して光を出射する。同様に第２読取装置１ｃの光源１０１は、第２コンタクトガラス１３ｂを通して原稿９１に対して光を出射する。
【００３４】
ＡＤＦ１ａが原稿９１を搬送することにより、光源１０１の光が原稿９１に対して走査される。イメージセンサー１０２は、ＡＤＦ１ａにより順次搬送される原稿９１各々における１ライン分の領域からの反射光を受光し、受光量の検出信号を画像信号として出力する。
【００３５】
ＡＦＥ１０３は、前記画像信号をデジタルの一次ライン画像データＤ００へ変換し、一次ライン画像データＤ００を順次出力する。以上に示されるように、本実施形態における前記読取処理は、ＡＤＦ１ａにより順次搬送される原稿９１各々の両面から１ラインずつ画像を読み取り、一次ライン画像データＤ００を順次出力する両面読取処理である。
【００３６】
図１に示される画像形成装置２は、電子写真方式またはインクジェット方式などの予め定められた方式でシート９２に画像を形成する印刷処理を実行する。
【００３７】
画像処理装置１０がコピージョブを実行する場合、画像形成装置２は、画像読取装置１００によって得られる画像データに基づく画像をシート９２に形成する。即ち、画像形成装置２は、画像読取装置１００によって得られる少なくとも１ページ分の第１ライン画像データＤ０１および第２ライン画像データＤ０２の一方または両方から生成される印刷データに基づいて前記印刷処理を実行する。
【００３８】
また、画像処理装置１０が印刷ジョブを実行する場合、画像形成装置２は、通信装置７を通じて端末装置８から受信した印刷ジョブデータに基づいて前記印刷処理を実行する。
【００３９】
例えば、画像形成装置２が電子写真方式で前記印刷処理を実行する装置である場合、画像形成装置２は、シート搬送機構２ａ、感光体２ｂ、帯電装置２ｃ、レーザースキャニングユニット２ｄ、現像装置２ｅ、転写装置２ｆおよび定着装置２ｇなどを備える。
【００４０】
シート搬送機構２ａは、シート９２を搬送する。帯電装置２ｃは、感光体２ｂの表面を帯電させる。レーザースキャニングユニット２ｄは、帯電した感光体２ｂの表面に静電潜像を書き込む。
【００４１】
現像装置２ｅは、感光体２ｂ上の前記静電潜像をトナー像へ現像する。転写装置２ｆは、感光体２ｂ上の前記トナー像をシート９２に転写する。定着装置２ｇは、シート９２上の前記トナー像を加熱することにより、前記トナー像をシート９２に定着させる。
【００４２】
ＣＰＵ４は、ＲＡＭ５にアクセスしつつデータ処理を実行するプロセッサーの一例である。例えば、ＣＰＵ４は、予め二次記憶装置６に記憶されたプログラムを実行することにより、読取制御部４１、印刷制御部４２および条件設定部４３として動作する。
【００４３】
読取制御部４１は、スキャナー１を制御することにより、スキャナー１に前記読取処理を実行させる。印刷制御部４２は、画像形成装置２を制御することにより、画像形成装置２に前記印刷処理を実行させる。
【００４４】
条件設定部４３は、前記ジョブの条件を操作器３ａに対する操作に応じて設定する。さらに、条件設定部４３は、設定した前記ジョブの条件を表示装置３ｂに表示させるとともに、前記ジョブの条件を読取制御部４１および印刷制御部４２へ引き渡す。例えば、条件設定部４３は、前記ジョブの条件を二次記憶装置６に記憶させることにより、前記ジョブの条件を、二次記憶装置６を通じて読取制御部４１および印刷制御部４２へ引き渡す。
【００４５】
前記ジョブの条件は、読取制御部４１に引き渡される前記読取処理の条件と、印刷制御部４２へ引き渡される前記印刷処理の条件とを含む。
【００４６】
前記読取処理の条件は、指定解像度、第１読取モード、第２読取モードおよび原稿サイズなどの条件を含む。後述するように、読取制御部４１は、一次ライン画像データＤ００の解像度を予め設定された指定解像度の二次ライン画像データＤ１０へ変換する解像度調整処理を実行する。
【００４７】
前記原稿サイズは、原稿トレイ１２ａに載置された原稿９１のサイズを表す。なお、ＡＤＦ１ａが、前記原稿サイズを検出するサイズ検出センサーを備えることも考えられる。この場合、前記サイズ検出センサーが前記原稿サイズを自動設定する。
【００４８】
二次ライン画像データＤ１０は、第１ライン画像データＤ０１に対応する第１調整ライン画像データＤ１１と、第２ライン画像データＤ０２に対応する第２調整ライン画像データＤ１２とを含む。
【００４９】
さらに、読取制御部４１は、二次ライン画像データＤ１０から各種の出力画像データＤ２０を生成する処理を実行する。出力画像データＤ２０は、第１調整ライン画像データＤ１１に対応する第１出力画像データＤ２１と、第２調整ライン画像データＤ１２に対応する第２出力画像データＤ２２とを含む。
【００５０】
例えば、第１出力画像データＤ２１が、複数の第１調整ライン画像データＤ１１が１つのデータとして集約された第１出力バンドデータであることが考えられる。同様に、第２出力画像データＤ２２が、複数の第２調整ライン画像データＤ１２が１つのデータとして集約された第２出力バンドデータであることが考えられる。
【００５１】
複数の二次ライン画像データＤ１０から各種の出力画像データＤ２０を生成する処理が行われているときに、処理対象のデータは、アクセス速度の速いＲＡＭ５に一次記憶される。
【００５２】
ＲＡＭ５は、一次ライン画像データＤ００が予め設定された前記指定解像度に調整された二次ライン画像データＤ１０を一次記憶する揮発性メモリーの一例である。
【００５３】
そして、必要な出力画像データＤ２０が生成されるごとに、生成された出力画像データＤ２０がＲＡＭ５から二次記憶装置６などの他の装置へ転送され、不要になった二次ライン画像データＤ１０がＲＡＭ５から消去される。
【００５４】
前記第１読取モードは、原稿９１の片面のみについて前記読取処理を実行する片面読取モードと、原稿９１の両面について前記読取処理を実行する両面読取モードと、のいずれかを指定する条件である。
【００５５】
前記第２読取モードは、省メモリー優先モードと、速度優先モードと、のいずれかを指定する条件である。前記省メモリー優先モードは、速度よりもＲＡＭ５の使用サイズを小さくすることを優先して前記読取処理を実行することを指定する条件である。前記速度優先モードは、ＲＡＭ５の使用サイズよりも速度を優先して前記読取処理を実行することを指定する条件である。
【００５６】
また、前記印刷処理の条件は、前記印刷処理をカラー印刷処理およびモノクロ印刷処理のいずれにするかを指定する印刷タイプ条件などを含む。
【００５７】
なお、前記ジョブの条件における前記印刷タイプ条件および前記解像度条件は、画像出力の条件の一例である。また、条件設定部４３として動作するＣＰＵ４は、条件設定装置の一例である。
【００５８】
なお、ＤＳＰ（Digital Signal Processor）などの他のプロセッサーが、ＣＰＵ４の代わりに、読取制御部４１、印刷制御部４２および条件設定部４３として動作するプロセッサーとして採用されることも考えられる。
【００５９】
ところで、ＲＡＭ５における利用可能な記憶領域の制約の下で、極力高速で前記両面読取処理を実行できることが望ましい。
【００６０】
画像読取装置１００は、後述する高速読取処理を実行することにより、ＲＡＭ５における利用可能な記憶領域の制約の下で、極力高速で前記両面読取処理を実行できる
【００６１】
図３に示されるように、本実施形態における読取制御部４１は、モード制御部４１ａ、第１搬送制御部４１ｂ、領域確保部４１ｃ、データ記録部４１ｄ、画像処理部４１ｅおよび第２搬送制御部４１ｆなどを含む。
【００６２】
即ち、予め二次記憶装置６に記憶されたプログラムを実行するＣＰＵ４は、モード制御部４１ａ、第１搬送制御部４１ｂ、領域確保部４１ｃ、データ記録部４１ｄ、画像処理部４１ｅおよび第２搬送制御部４１ｆを含む。
【００６３】
モード制御部４１ａは、後述する読取モード制御を実行することにより、省メモリー読取処理および前記高速読取処理の一方を開始させる。
【００６４】
前記省メモリー読取処理は、ＲＡＭ５の使用サイズを最小にしつつ行われる前記読取処理である。一方、前記高速読取処理は、ＲＡＭ５の使用サイズを極力抑制しつつ画像読取装置１００としては最も高速で行われる前記読取処理である。
【００６５】
［読取モード制御］
以下、図４に示されるフローチャートを参照しつつ、前記読取モード制御の手順の一例について説明する。
【００６６】
モード制御部４１ａは、予め前記両面読取モードが前記第１読取モードとして設定され、かつ、予め定められた読取開始操作が操作器３ａに対して行われたときに、前記読取モード制御を実行する。以下の説明において、Ｓ１０１，Ｓ１０２，…は、前記読取モード制御における複数の工程の識別符号を表す。
【００６７】
＜工程Ｓ１０１＞
前記読取モード制御において、モード制御部４１ａは、前記省メモリー優先モードおよび前記速度優先モードのいずれが前記第２読取モードとして設定されているかに応じて、次に実行する処理を選択する。
【００６８】
前記省メモリー優先モードが前記第２読取モードとして設定されている場合、モード制御部４１ａは、処理を工程Ｓ１０２へ移行させる。一方、前記高速優先モードが前記第２読取モードとして設定されている場合、モード制御部４１ａは、処理を工程Ｓ１０３へ移行させる。
【００６９】
＜工程Ｓ１０２＞
工程Ｓ１０２において、領域確保部４１ｃが、前記省メモリー読取処理を開始する。前記省メモリー読取処理が開始されると、モード制御部４１ａは、前記読取モード制御を終了させる。
【００７０】
＜工程Ｓ１０３＞
工程Ｓ１０３において、モード制御部４１ａは、ＲＡＭ５の状態が第１状態および第２状態のいずれであるかを判定する。
【００７１】
前記第１状態は、前記指定解像度に対応する６つのページ領域をＲＡＭ５の記憶領域に確保可能な状態であり、前記第２状態はその他の状態である。なお、工程Ｓ１０３の処理を実行するモード制御部４１ａが判定部の一例である。
【００７２】
前記読取モード制御が開始される時点で、ＲＡＭ５は、少なくとも予め定められた最大退避領域サイズと最大ワーク領域サイズと予め定められた余裕サイズとを合計したサイズの空き容量を有している。
【００７３】
前記最大退避領域サイズは、スキャナー１が処理可能な最大サイズの１枚の原稿９１の両面に対応する２ページ分の前記定格解像度の二次ライン画像データＤ１０のサイズである。
【００７４】
前記最大ワーク領域サイズは、前記定格解像度の二次ライン画像データＤ１０を出力画像データＤ２０へ変換するデータ処理に必要なＲＡＭ５の記憶領域のサイズである。前記余裕サイズは、前記読取処理以外に必要なＲＡＭ５の記憶領域のサイズである。
【００７５】
例えば、モード制御部４１ａは、前記指定解像度と前記原稿サイズとの組み合わせから退避領域サイズとワークサイズとを導出する。この場合、モード制御部４１ａは、前記退避領域サイズと前記ワークサイズと前記余裕サイズとを合計した容量の空きがＲＡＭ５に存在する場合に、ＲＡＭ５が前記第１状態であると判定し、そうでない場合にＲＡＭ５が前記第２状態であると判定する。
【００７６】
前記退避領域サイズは、前記読取処理の条件として予め設定された前記原稿サイズの３枚の原稿９１の両面に対応する６ページ分の前記指定解像度の二次ライン画像データＤ１０のサイズである。
【００７７】
前記ワーク領域サイズは、前記指定解像度の二次ライン画像データＤ１０を出力画像データＤ２０へ変換するデータ処理に必要なＲＡＭ５の記憶領域のサイズである。例えば、前記ワーク領域サイズが、前記原稿サイズの１枚の原稿９１の両面に対応する２ページ分の前記指定解像度の二次ライン画像データＤ１０のサイズであることが考えられる。
【００７８】
一方、前記指定解像度と前記原稿サイズとの組み合わせに基づく判定ルールが予め定められており、モード制御部４１ａが、前記判定ルールに従ってＲＡＭ５が前記第１状態および前記第２状態のいずれであるかを判定することも考えられる。
【００７９】
例えば、前記判定ルールが、前記最大サイズに対する前記原稿サイズの面積比と、前記定格解像度に対する前記指定解像度の比とを乗算した値が３３％未満である場合に、ＲＡＭ５が前記第１状態であり、そうでない場合にＲＡＭ５が前記第２状態であると判定するルールであることが考えられる。
【００８０】
モード制御部４１ａは、ＲＡＭ５の状態が前記第１状態であると判定した場合、処理を工程Ｓ１０４へ移行させ、ＲＡＭ５の状態が前記第２状態であると判定した場合、処理を工程Ｓ１０２へ移行させる。
【００８１】
＜工程Ｓ１０４＞
工程Ｓ１０４において、領域確保部４１ｃが、前記高速読取処理を開始する。前記高速読取処理が開始されると、モード制御部４１ａは、前記読取モード制御を終了させる。
【００８２】
［高速読取処理］
次に、図５に示されるフローチャートを参照しつつ、前記高速読取処理の手順の一例について説明する。以下の説明において、Ｓ２０１，Ｓ２０２，…は、前記高速読取処理における複数の工程の識別符号を表す。
【００８３】
＜工程Ｓ２０１＞
前記高速読取処理において、領域確保部４１ｃが、６つのページ領域５ａをＲＡＭ５の記憶領域に確保する（図１参照）。ページ領域５ａ各々は、原稿９１の１ページ分の第１ライン画像データＤ０１または第２ライン画像データＤ０２を記憶可能な領域である。
【００８４】
６つのページ領域５ａの合計サイズは、図４の工程Ｓ１０３の処理に関して説明した前記退避領域サイズである。
【００８５】
６つのページ領域５ａのうちの３つは、連続する３枚の原稿９１の前記第１面に対応する３ページ分の第１調整ライン画像データＤ１１が一次記憶される第１面データ退避領域である。６つのページ領域５ａのうちの残りの３つは、連続する３枚の原稿９１の前記第２面に対応する３ページ分の第２調整ライン画像データＤ１２が一次記憶される第２面データ退避領域である。
【００８６】
例えば、前記原稿サイズがＡ４サイズ、かつ、前記指定解像度が２００ｄｐｉである場合、ページ領域５ａ各々のサイズは、Ａ４サイズの原稿９１の１ページから２００ｄｐｉの解像度で得られる複数の第１ライン画像データＤ０１のサイズである。ここで、複数の第１ライン画像データＤ０１に対応する原稿９１の１ページは、原稿９１の前記第１面である。
【００８７】
なお、言うまでもないが、原稿９１の１ページから得られる複数の第１ライン画像データＤ０１のサイズと、原稿９１の１ページから得られる複数の第２ライン画像データＤ０２のサイズとは同じである。ここで、複数の第２ライン画像データＤ０２に対応する原稿９１の１ページは、原稿９１の前記第２面である。
【００８８】
領域確保部４１ｃは、６つのページ領域５ａをＲＡＭ５の記憶領域に確保した後、処理を工程Ｓ２０２へ移行させる。
【００８９】
＜工程Ｓ２０２＞
６つのページ領域５ａの確保に対応して、第１搬送制御部４１ｂが、ＡＤＦ１ａに対して複数の原稿９１のうちの最初の３枚目までの搬送を許可する。これにより、ＡＤＦ１ａは、原稿トレイ１２ａ上の最初の３枚の原稿９１を、予め定められた時間間隔で順次搬送する。
【００９０】
第１搬送制御部４１ｂは、処理を工程Ｓ２０２から工程Ｓ２０３および工程Ｓ２０６へ移行させる。
【００９１】
＜工程Ｓ２０３＞
工程Ｓ２０３において、領域確保部４１ｃが、ＲＡＭ５の記憶領域に６つのページ領域５ａ以外の第１ワーク領域５ｂを確保する。その後、領域確保部４１ｃは、処理を工程Ｓ２０４へ移行させる。
【００９２】
第１ワーク領域５ｂは、前記指定解像度の第１調整ライン画像データＤ１１を第１出力画像データＤ２１へ変換するデータ処理に必要な領域である。例えば、第１ワーク領域５ｂのサイズが、原稿９１の１ページから得られる複数の第１ライン画像データＤ０１の合計サイズであることが考えられる。
【００９３】
＜工程Ｓ２０４＞
工程Ｓ２０４において、データ記録部４１ｄが、第１解像度調整処理および第１データ記録処理を実行する。
【００９４】
前記第１解像度調整処理は、原稿９１が第１位置Ｐ１に到達した時点から順次得られる前記定格解像度の第１ライン画像データＤ０１を前記指定解像度の第１調整ライン画像データＤ１１へ変換する処理である。
【００９５】
なお、前述したように、原稿９１が第１位置Ｐ１に到達するタイミングは、第１原稿センサー１５ａによって検出される。
【００９６】
前記第１データ記録処理は、前記第１解像度調整処理により順次得られる第１調整ライン画像データＤ１１を、ＲＡＭ５に記憶させる処理である。前記第１データ記録処理において、データ記録部４１ｄは、第１調整ライン画像データＤ１１を、複数の原稿９１のページごとにＲＡＭ５の６つのページ領域５ａのうちの前記第１面データ退避領域に記憶させる。
【００９７】
＜工程Ｓ２０５＞
さらに、工程Ｓ２０４の処理と並行して、画像処理部４１ｅが、第１ライン画像処理を実行する。
【００９８】
データ記録部４１ｄおよび画像処理部４１ｅは、順次搬送される原稿９１各々の前記第１面ごとの複数の第１調整ライン画像データＤ１１について、工程Ｓ２０４および工程Ｓ２０５の処理を順次実行する。これにより、データ記録部４１ｄおよび画像処理部４１ｅは、ＡＤＦ１ａにより搬送される全ての原稿９１から得られる複数の第１調整ライン画像データＤ１１について、工程Ｓ２０４および工程Ｓ２０５の処理を実行する。
【００９９】
一方、第１搬送制御部４１ｂは、データ記録部４１ｄおよび画像処理部４１ｅによる工程Ｓ２０４および工程Ｓ２０５の処理と並行して、後述する工程Ｓ２０９の処理を実行する。
【０１００】
前記第１ライン画像処理において、画像処理部４１ｅは、ページ領域５ａに記憶されている第１調整ライン画像データＤ１１をＲＡＭ５の第１ワーク領域５ｂへ順次移動させる。さらに、画像処理部４１ｅは、第１ワーク領域５ｂ内の第１調整ライン画像データＤ１１に予め定められたデータ処理を施し、処理後のデータである第１出力画像データＤ２１を生成する。さらに、画像処理部４１ｅは、生成した第１出力画像データＤ２１をＲＡＭ５から他装置へ転送する。
【０１０１】
例えば、画像処理部４１ｅは、前記ジョブの種類に応じて、第１出力画像データＤ２１をＲＡＭ５から画像形成装置２、二次記憶装置６または通信装置７へ転送する。
【０１０２】
＜工程Ｓ２０６＞
一方、工程Ｓ２０６において、領域確保部４１ｃが、ＲＡＭ５の記憶領域に第２ワーク領域５ｃを確保する。第２ワーク領域５ｃは、６つのページ領域５ａおよび第１ワーク領域５ｂ以外の領域である。その後、領域確保部４１ｃは、処理を工程Ｓ２０７へ移行させる。
【０１０３】
第２ワーク領域５ｃは、前記指定解像度の第２調整ライン画像データＤ１２を第２出力画像データＤ２２へ変換するデータ処理に必要な領域である。例えば、第２ワーク領域５ｃのサイズが、原稿９１の１ページから得られる複数の第２ライン画像データＤ０２の合計サイズであることが考えられる。
【０１０４】
＜工程Ｓ２０７＞
工程Ｓ２０７において、データ記録部４１ｄが、第２解像度調整処理および第２データ記録処理を実行する。
【０１０５】
前記第２解像度調整処理は、原稿９１が第２位置Ｐ２に到達した時点から順次得られる前記定格解像度の第２ライン画像データＤ０２を前記指定解像度の第２調整ライン画像データＤ１２へ変換する処理である。
【０１０６】
なお、前述したように、原稿９１が第２位置Ｐ２に到達するタイミングは、第２原稿センサー１５ｂによって検出される。
【０１０７】
前記第２データ記録処理は、前記第２解像度調整処理により順次得られる第２調整ライン画像データＤ１２を、ＲＡＭ５に記憶させる処理である。前記第２データ記録処理において、データ記録部４１ｄは、第２調整ライン画像データＤ１２を、複数の原稿９１のページごとにＲＡＭ５の６つのページ領域５ａのうちの前記第２面データ退避領域に記憶させる。
【０１０８】
＜工程Ｓ２０８＞
さらに、工程Ｓ２０７の処理と並行して、画像処理部４１ｅが、第２ライン画像処理を実行する。
【０１０９】
データ記録部４１ｄおよび画像処理部４１ｅは、順次搬送される原稿９１各々の前記第２面ごとの複数の第２調整ライン画像データＤ１２について、工程Ｓ２０７および工程Ｓ２０８の処理を順次実行する。これにより、データ記録部４１ｄおよび画像処理部４１ｅは、ＡＤＦ１ａにより搬送される全ての原稿９１から得られる複数の第２調整ライン画像データＤ１２について、工程Ｓ２０７および工程Ｓ２０８の処理を実行する。
【０１１０】
一方、第１搬送制御部４１ｂは、データ記録部４１ｄおよび画像処理部４１ｅによる工程Ｓ２０７および工程Ｓ２０８の処理と並行して、後述する工程Ｓ２０９の処理を実行する。
【０１１１】
前記第２ライン画像処理において、画像処理部４１ｅは、ページ領域５ａに記憶されている第２調整ライン画像データＤ１２をＲＡＭ５の第２ワーク領域５ｃへ順次移動させる。さらに、画像処理部４１ｅは、第２ワーク領域５ｃ内の第２調整ライン画像データＤ１２に予め定められたデータ処理を施し、処理後のデータである第２出力画像データＤ２２を生成する。さらに、画像処理部４１ｅは、生成した第２出力画像データＤ２２をＲＡＭ５から他装置へ転送する。
【０１１２】
例えば、画像処理部４１ｅは、前記ジョブの種類に応じて、第２出力画像データＤ２２をＲＡＭ５から画像形成装置２、二次記憶装置６または通信装置７へ転送する。
【０１１３】
なお、まず、工程Ｓ２０４および工程Ｓ２０５の処理が、原稿９１が第１位置Ｐ１に到達するタイミングで開始され、その後、工程Ｓ２０７および工程Ｓ２０８の処理が、同じ原稿９１が第１位置Ｐ１から第２位置Ｐ２まで移動するのに要する時間分だけ遅れたタイミングで開始される。
【０１１４】
＜工程Ｓ２０９＞
工程Ｓ２０９において、第１搬送制御部４１ｂは、複数の原稿９１のうちの最初の３枚目が原稿トレイ１２ａから送出されるまで待機する。
【０１１５】
そして、第１搬送制御部４１ｂは、最初の３枚の原稿９１の送り出しが済んだときに、処理を工程Ｓ２１０へ移行させる。
【０１１６】
但し、図５に示されていないが、最初の３枚の原稿９１が送り出されるまでに、原稿トレイ１２ａ上の原稿９１が検出されなくなった場合、第１搬送制御部４１ｂは、工程Ｓ２０４，Ｓ２０５，Ｓ２０７，Ｓ２０８の処理が終了したときに、前記高速読取処理を終了させる。
【０１１７】
＜工程Ｓ２１０＞
工程Ｓ２１０において、第２搬送制御部４１ｆが、複数の原稿のうちの４枚目以降の次の１枚が原稿トレイ１２ａ上に存在するか否かを判定する。原稿トレイ１２ａ上の原稿９１は、載置原稿センサー１４によって検出される。
【０１１８】
第２搬送制御部４１ｆは、４枚目以降の次の原稿９１が原稿トレイ１２ａ上に存在すると判定した場合、処理を工程Ｓ２１１へ移行させる。
【０１１９】
一方、第２搬送制御部４１ｆは、次の原稿９１が原稿トレイ１２ａ上に存在しないと判定した場合、工程Ｓ２０４，Ｓ２０５，Ｓ２０７，Ｓ２０８の処理が終了したときに、前記高速読取処理を終了させる。
【０１２０】
＜工程Ｓ２１１＞
工程Ｓ２１１において、データ記録部４１ｄが、新たに搬送される次の１枚の原稿９１に対応する二次ライン画像データＤ１０の記録先をＲＡＭ５における移動完了ページ領域に設定する。その後、データ記録部４１ｄは、処理を工程Ｓ２１２へ移行させる。
【０１２１】
工程Ｓ２０４，Ｓ２０７の前記第１データ記録処理および前記第２データ記録処理において、データ記録部４１ｄは、新たに搬送される次の１枚の原稿９１に対応する二次ライン画像データＤ１０を、ＲＡＭ５の前記移動完了ページ領域に記憶させる。
【０１２２】
前記移動完了ページ領域は、６つのページ領域５ａのうち、全ての二次ライン画像データＤ１０の第１ワーク領域５ｂまたは第２ワーク領域５ｃへの移動が完了した一部のページ領域５ａである。
【０１２３】
＜工程Ｓ２１２＞
工程Ｓ２１２において、第２搬送制御部４１ｆが、ＡＤＦ１ａに対し、４枚目以降の次の１枚の原稿９１の搬送を許可する。これにより、ＡＤＦ１ａは、原稿トレイ１２ａ上の次の１枚の原稿９１を、１回前の原稿搬送に対して予め定められた時間間隔で搬送する。
【０１２４】
さらに、第２搬送制御部４１ｆは、処理を工程Ｓ２１２から前述の工程Ｓ２１０へ移行させる。
【０１２５】
以上に示されるように、ＲＡＭ５の状態が前記第１状態であると判定された場合に、領域確保部４１ｃは、６つのページ領域５ａをＲＡＭ５の記憶領域に確保する（Ｓ２０１）。
【０１２６】
さらに、第１搬送制御部４１ｂは、６つのページ領域５ａの確保に対応して、ＡＤＦ１ａに対して複数の原稿９１の最初の３枚目までの搬送を許可する（Ｓ２０２）。
【０１２７】
さらに、データ記録部４１ｄは、順次得られる二次ライン画像データＤ１０を複数の原稿９１のページごとにＲＡＭ５の６つのページ領域５ａに記憶させる（Ｓ２０４，Ｓ２０７）。
【０１２８】
さらに、画像処理部４１ｅは、ページ領域５ａに記憶されている二次ライン画像データＤ１０をＲＡＭ５におけるページ領域５ａ以外の第１ワーク領域５ｂおよび第２ワーク領域５ｃへ順次移動させる（Ｓ２０５，Ｓ２０８）。
【０１２９】
さらに、画像処理部４１ｅは、第１ワーク領域５ｂおよび第２ワーク領域５ｃ内の二次ライン画像データＤ１０に予め定められたデータ処理を施し、処理後の出力画像データＤ２０を他装置へ転送する（Ｓ２０５，Ｓ２０８）。
【０１３０】
そして、第２搬送制御部４１ｆは、複数の原稿９１のうちの最初の３枚目までの搬送に続いて、ＡＤＦ１ａに対して複数の原稿９１のうちの４枚目以降の次の１枚の搬送を順次許可する（Ｓ２１２）。
【０１３１】
以下、図７を参照しつつ、前記高速読取処理が実行されるときのＡＤＦ１ａの状態について説明する。図７（Ａ）〜図７（Ｅ）において、複数の原稿９１は、１枚目の原稿９１ａ、２枚目の原稿９１ｂ、３枚目の原稿９１ｃおよび４枚目の原稿９１ｄを含む。
【０１３２】
図７（Ａ）に示されるように、ＡＤＦ１ａの搬送路１１において、第１位置Ｐ１から第２位置Ｐ２までの経路長Ｌ１は原稿長Ｌ０よりも短い。原稿長Ｌ０は、原稿９１の搬送方向の長さである。
【０１３３】
また、図７（Ｂ）に示されるように、前記高速読取処理において、複数の原稿９１は、予め定められた紙間隔Ｌ２を空けて順次搬送される。
【０１３４】
以下の説明において、前記高速処理においてＡＤＦ１ａが２枚目の原稿、３枚目の原稿および４枚目の原稿の搬送を開始すべき時点のことをそれぞれ２枚目送出時点、３枚目送出時点および４枚目送出時点と称する。
【０１３５】
図７（Ｂ）に示されるように、前記２枚目送出時点において、１枚目の原稿９１ａは、搬送路１１における第１位置Ｐ１から第２位置Ｐ２までの経路を含む領域に位置している。
【０１３６】
従って、前記２枚目送出時点は、１枚目の原稿９１ａについての工程Ｓ２０４，Ｓ２０５，Ｓ２０７，Ｓ２０８の処理が実行されている途中の時点である。
【０１３７】
同様に、図７（Ｄ）に示されるように、前記３枚目送出時点において、２枚目の原稿９１ｂは、搬送路１１における第１位置Ｐ１から第２位置Ｐ２までの経路を含む領域に位置している。
【０１３８】
図７（Ｄ）に示される前記３枚目送出時点は、１枚目の原稿９１ａの後端が第２位置Ｐ２を通過する図７（Ｃ）の時点から、未だ短い時間しか経過していない時点である。従って、前記３枚目送出時点は、１枚目の原稿９１ａについての工程Ｓ２０４，Ｓ２０５，Ｓ２０７，Ｓ２０８の処理と、２枚目の原稿９１ｂについての工程Ｓ２０４，Ｓ２０５，Ｓ２０７，Ｓ２０８の処理とが並行して実行されている途中の時点である。
【０１３９】
即ち、前記３枚目送出時点の直後において、少なくとも最初の３枚の原稿９１に対応する６つのページ領域５ａがＲＡＭ５に確保される必要がある。このことは、６つのページ領域５ａがＲＡＭ５に確保されれば、最初の３枚の原稿９１を最小限の時間間隔で連続して搬送することが可能であることを意味する。
【０１４０】
また、図７（Ｅ）に示されるように、前記４枚目送出時点において、３枚目の原稿９１ｃは、搬送路１１における第１位置Ｐ１から第２位置Ｐ２までの経路を含む領域に位置している。
【０１４１】
また、図７（Ｅ）に示される前記４枚目送出時点は、１枚目の原稿９１ａの後端が第２位置Ｐ２を通過する図７（Ｃ）の時点から、２枚目の原稿９１ｂが第２位置Ｐ２に到達してから第２位置Ｐ２を通過するまでに要する時間よりも長い時間が経過した時点である。
【０１４２】
従って、前記４枚目送出時点において、１枚目の原稿９１ａについて用いられた２つのページ領域５ａは、前記移動完了ページ領域となっている。そのため、６つのページ領域５ａがＲＡＭ５に確保されれば、４枚目の原稿９１ｄも３枚目の原稿９１ｃに続いて遅延無く搬送することができる。５枚目以降の原稿９１についても同様である。
【０１４３】
また、前記高速読取処理は、原稿９１が搬送されるごとに２つのページ領域５ａがＲＡＭ５に新たに確保される場合に比べ、ＲＡＭ５の使用容量を最小限に抑えることができる。
【０１４４】
即ち、画像処理装置１０は、揮発性のＲＡＭ５における利用可能な記憶領域の制約の下で、極力高速で前記両面読取処理を実行できる。
【０１４５】
［省メモリー読取処理］
次に、図６に示されるフローチャートを参照しつつ、前記省メモリー読取処理の手順の一例について説明する。以下の説明において、Ｓ３０１，Ｓ３０２，…は、前記省メモリー読取処理における複数の工程の識別符号を表す。
【０１４６】
＜工程Ｓ３０１＞
前記省メモリー読取処理において、領域確保部４１ｃが、２つのページ領域５ａをＲＡＭ５の記憶領域に確保する。
【０１４７】
２つのページ領域５ａのうちの一方は、１枚の原稿９１の前記第１面に対応する１ページ分の第１調整ライン画像データＤ１１が一次記憶される前記第１面データ退避領域である。２つのページ領域５ａの他方は、１枚の原稿９１の前記第２面に対応する１ページ分の第２調整ライン画像データＤ１２が一次記憶される前記第２面データ退避領域である。
【０１４８】
領域確保部４１ｃは、２つのページ領域５ａをＲＡＭ５の記憶領域に確保した後、処理を工程Ｓ３０２へ移行させる。
【０１４９】
＜工程Ｓ３０２＞
２つのページ領域５ａの確保に対応して、第１搬送制御部４１ｂが、ＡＤＦ１ａに対して複数の原稿９１のうちの１枚目の搬送を許可する。これにより、ＡＤＦ１ａは、原稿トレイ１２ａ上の１枚目の原稿９１を搬送する。
【０１５０】
第１搬送制御部４１ｂは、処理を工程Ｓ３０２から工程Ｓ３０３および工程Ｓ３０６へ移行させる。
【０１５１】
＜工程Ｓ３０３＞
工程Ｓ３０３において、領域確保部４１ｃが、図５の工程Ｓ２０３と同様に、ＲＡＭ５の記憶領域に２つのページ領域５ａ以外の第１ワーク領域５ｂを確保する。その後、領域確保部４１ｃは、処理を工程Ｓ３０４および工程Ｓ３０５へ移行させる。
【０１５２】
＜工程Ｓ３０４，Ｓ３０５＞
工程Ｓ３０４において、データ記録部４１ｄが、図５の工程Ｓ２０４と同様に、前記第１解像度調整処理および前記第１データ記録処理を実行する。さらに、工程Ｓ３０４の処理と並行して、画像処理部４１ｅが、図５の工程Ｓ２０５と同様に、前記第１ライン画像処理を実行する（Ｓ３０５）。
【０１５３】
データ記録部４１ｄおよび画像処理部４１ｅは、順次搬送される原稿９１各々の前記第１面ごとの複数の第１調整ライン画像データＤ１１について、工程Ｓ３０４および工程Ｓ３０５の処理を順次実行する。これにより、データ記録部４１ｄおよび画像処理部４１ｅは、ＡＤＦ１ａにより搬送される全ての原稿９１から得られる複数の第１調整ライン画像データＤ１１について、工程Ｓ３０４および工程Ｓ３０５の処理を実行する。
【０１５４】
一方、第１搬送制御部４１ｂは、データ記録部４１ｄおよび画像処理部４１ｅによる工程Ｓ３０４および工程Ｓ３０５の処理と並行して、後述する工程Ｓ３０９の処理を実行する。
【０１５５】
＜工程Ｓ３０６＞
一方、工程Ｓ３０６において、領域確保部４１ｃが、図５の工程Ｓ２０６と同様に、ＲＡＭ５の記憶領域に２つのページ領域５ａおよび第１ワーク領域５ｂ以外の第２ワーク領域５ｃを確保する。その後、領域確保部４１ｃは、処理を工程Ｓ３０７および工程Ｓ３０７へ移行させる。
【０１５６】
＜工程Ｓ３０７，Ｓ３０８＞
工程Ｓ３０７において、データ記録部４１ｄが、図５の工程Ｓ３０７と同様に、前記第２解像度調整処理および前記第２データ記録処理を実行する。さらに、工程Ｓ３０７の処理と並行して、画像処理部４１ｅが、図５の工程Ｓ２０８と同様に、前記第２ライン画像処理を実行する（Ｓ３０８）。
【０１５７】
一方、第２搬送制御部４１ｆは、データ記録部４１ｄおよび画像処理部４１ｅによる工程Ｓ３０７および工程Ｓ３０８の処理と並行して、後述する工程Ｓ３０９の処理を実行する。
【０１５８】
＜工程Ｓ３０９＞
工程Ｓ３０９において、第２搬送制御部４１ｆが、次の原稿９１が原稿トレイ１２ａ上に存在するか否かを判定する。原稿トレイ１２ａ上の原稿９１は、載置原稿センサー１４によって検出される。
【０１５９】
第２搬送制御部４１ｆは、次の原稿９１が原稿トレイ１２ａ上に存在すると判定した場合、処理を工程Ｓ３１０へ移行させる。
【０１６０】
一方、第２搬送制御部４１ｆは、次の原稿９１が原稿トレイ１２ａ上に存在しないと判定した場合、工程Ｓ３０４，Ｓ３０５，Ｓ３０７，Ｓ３０８の処理が終了したときに、前記省メモリー読取処理を終了させる。
【０１６１】
＜工程Ｓ３１０＞
工程Ｓ３１０において、データ記録部４１ｄが、ＲＡＭ５に２つの前記移動完了ページ領域が生じるまで待機する。即ち、データ記録部４１ｄは、２つのページ領域５ａの両方について、全ての二次ライン画像データＤ１０の第１ワーク領域５ｂまたは第２ワーク領域５ｃへの移動が完了するまで待機する。
【０１６２】
そして、データ記録部４１ｄは、ＲＡＭ５に２つの前記移動完了ページ領域が生じると、処理を工程Ｓ３１１へ移行させる。
【０１６３】
＜工程Ｓ３１１＞
工程Ｓ３１１において、データ記録部４１ｄが、新たに搬送される次の１枚の原稿９１に対応する二次ライン画像データＤ１０の記録先をＲＡＭ５における前記移動完了ページ領域に設定する。その後、データ記録部４１ｄは、処理を工程Ｓ３１２へ移行させる。
【０１６４】
工程Ｓ３０４，Ｓ３０７の前記第１データ記録処理および前記第２データ記録処理において、データ記録部４１ｄは、新たに搬送される次の１枚の原稿９１に対応する二次ライン画像データＤ１０を、ＲＡＭ５の前記移動完了ページ領域に記憶させる。
【０１６５】
＜工程Ｓ３１２＞
工程Ｓ３１２において、第２搬送制御部４１ｆが、ＡＤＦ１ａに対し、次の原稿９１の搬送を許可する。これにより、ＡＤＦ１ａは、原稿トレイ１２ａ上の次の１枚の原稿９１を搬送する。
【０１６６】
さらに、第２搬送制御部４１ｆは、処理を工程Ｓ３１２から前述の工程Ｓ３０９へ移行させる。
【０１６７】
以上に示されるように、ＲＡＭ５の状態が前記第２状態であると判定された場合に、領域確保部４１ｃは、２つのページ領域５ａをＲＡＭ５の記憶領域に確保する（Ｓ３０１）。
【０１６８】
さらに、第１搬送制御部４１ｂは、２つのページ領域５ａの確保に対応して、ＡＤＦ１ａに対して複数の原稿９１の最初の１枚目の搬送を許可する（Ｓ３０２）。
【０１６９】
さらに、データ記録部４１ｄは、順次得られる二次ライン画像データＤ１０を複数の原稿９１のページごとにＲＡＭ５の２つのページ領域５ａに記憶させる（Ｓ３０４，Ｓ３０７）。
【０１７０】
さらに、画像処理部４１ｅは、ページ領域５ａに記憶されている二次ライン画像データＤ１０をＲＡＭ５におけるページ領域５ａ以外の第１ワーク領域５ｂおよび第２ワーク領域５ｃへ順次移動させる（Ｓ３０５，Ｓ３０８）。
【０１７１】
さらに、画像処理部４１ｅは、第１ワーク領域５ｂおよび第２ワーク領域５ｃ内の二次ライン画像データＤ１０に予め定められたデータ処理を施し、処理後の出力画像データＤ２０を他装置へ転送する（Ｓ３０５，Ｓ３０８）。
【０１７２】
そして、第２搬送制御部４１ｆは、２つのページ領域５ａにおいて全ての二次ライン画像データＤ１０の移動が完了するごとに、ＡＤＦ１ａに対して複数の原稿９１のうちの２枚目以降の次の１枚の搬送を許可する（Ｓ３１２）。
【０１７３】
従って、ＲＡＭ５の状態が前記第２状態であると判定された場合に、ＣＰＵ４は、ＲＡＭ５の使用領域を必要最小限に抑えることができる。
【０１７４】
[第１応用例]
以上に示された画像処理装置１０における画像形成装置２以外の部分が、１つの最終製品を成す画像読取装置１００として構成されることも考えられる。
【０１７５】
［第２応用例］
また、画像処理装置１０において、第１読取装置１ｂおよび第２読取装置１ｃが、それぞれ前記指定解像度に調整された第１調整ライン画像データＤ１１および第２調整ライン画像データＤ１２を直接出力することも考えられる。この場合、データ記録部４１ｄは、第１読取装置１ｂおよび第２読取装置１ｃが出力する二次ライン画像データＤ１０をＲＡＭ５のページ領域５ａに一次記憶させる。
【符号の説明】
【０１７６】
１        ：スキャナー
１ａ      ：ＡＤＦ（原稿搬送装置）
１ｂ      ：第１読取装置
１ｃ      ：第２読取装置
２        ：画像形成装置
２ａ      ：シート搬送機構
２ｂ      ：感光体
２ｃ      ：帯電装置
２ｄ      ：レーザースキャニングユニット
２ｅ      ：現像装置
２ｆ      ：転写装置
２ｇ      ：定着装置
３        ：ユーザーインターフェイスユニット
３ａ      ：操作器
３ｂ      ：表示装置
４        ：ＣＰＵ
５        ：ＲＡＭ（揮発性メモリー）
５ａ      ：ページ領域
５ｂ      ：第１ワーク領域
５ｃ      ：第２ワーク領域
６        ：二次記憶装置
７        ：通信装置
８        ：端末装置
１０      ：画像処理装置
１１      ：搬送路
１２ａ    ：原稿トレイ
１２ｂ    ：原稿送出機構
１２ｃ    ：原稿搬送ローラー
１２ｄ    ：排出トレイ
１３ａ    ：第１コンタクトガラス
１３ｂ    ：第２コンタクトガラス
１４      ：載置原稿センサー
１５ａ    ：第１原稿センサー
１５ｂ    ：第２原稿センサー
４１      ：読取制御部
４１ａ    ：モード制御部
４１ｂ    ：第１搬送制御部
４１ｃ    ：領域確保部
４１ｄ    ：データ記録部
４１ｅ    ：画像処理部
４１ｆ    ：第２搬送制御部
４２      ：印刷制御部
４３      ：条件設定部
８０      ：ネットワーク
９１      ：原稿
９１ａ    ：１枚目の原稿
９１ｂ    ：２枚目の原稿
９１ｃ    ：３枚目の原稿
９１ｄ    ：４枚目の原稿
９２      ：シート
１００    ：画像読取装置
１０１    ：光源
１０２    ：イメージセンサー
Ｄ０１    ：第１ライン画像データ（一次ライン画像データ）
Ｄ０２    ：第２ライン画像データ（一次ライン画像データ）
Ｄ１１    ：第１調整ライン画像データ（二次ライン画像データ）
Ｄ１２    ：第２調整ライン画像データ（二次ライン画像データ）
Ｄ２１    ：第１出力画像データ（出力画像データ）
Ｄ２２    ：第２出力画像データ（出力画像データ）
Ｌ０      ：原稿長
Ｌ１      ：経路長
Ｌ２      ：紙間隔
Ｐ１      ：第１位置
Ｐ２      ：第２位置
【図１】
2019047407.tif 000003
【図２】
2019047407.tif 000004
【図３】
2019047407.tif 000005
【図４】
2019047407.tif 000006
【図５】
2019047407.tif 000007
【図６】
2019047407.tif 000008
【図７】
2019047407.tif 000009